(57)【要約】【課題】建物の板ガラス等の面材を支持する構造において、横押縁の見付け寸法を小さくして意匠性を高める。【解決手段】上下に延びる方立２０を左右に間隔を置いて立設する。左右の方立２０間ごとに板ガラス１０を上下に並べ、その自重を各方立２０の自重受け部４０で受ける。上下に隣り合う２つの板ガラス２０の屋内側の面間に無目３０を跨らせ、屋外側の面間に横押縁７０を跨らせ、無目３０と横押縁７０で上記２つの板ガラス２０をそれぞれ挟持する。横押縁７０と無目３０は、上記２つの板ガラス２０間に通された押縁支持部材５０で連結されている。押縁支持部材５０は、無目３０に上下動可能に支持されている。【選択図】　図２
2004027672.tif 000002
【特許請求の範囲】
【請求項１】
上下に延びるとともに互いに左右に離れて複数配された方立と、左右に隣り合う方立間に上下に並べられた面材の自重を受けるべく各方立に設けられた面材自重受け部と、上下に隣り合う２つの面材への面外荷重を受ける面外荷重受け部とを備え、
この面外荷重受け部が、上記２つの面材の屋内側の面間に跨るようにして上記方立に設けられた屋内側挟持部と、この屋内側挟持部から突出して上記２つの面材の間に通された面材間挿通部と、この面材間挿通部に一体に連なるとともに上記２つの面材の屋外側の面間に跨り上記屋内側挟持部と協働してこれら面材をそれぞれ挟持する屋外側挟持部とを有し、上記面材間挿通部及び屋外挟持部が、上記方立に対して上下動可能になっていることを特徴とする建物の面材支持構造。
【請求項２】
左右に隣り合う方立間に無目が水平に架け渡され、この無目が、上記２つの面材の屋内側の面間に跨ることにより上記屋内側挟持部として提供されており、
上記面材間挿通部が、上記無目に上下動可能に支持されていることを特徴とする請求項１に記載の建物の面材支持構造。
【請求項３】
長手方向の中央部が上記方立に固定され、両側部が方立から左右へ片持ち状に延出された短い横材を備え、この短横材が、上記２つの面材の屋内側の面間に跨ることにより上記屋内側挟持部として提供されており、
この短横材の長手方向中央部に上記面材自重受け部が設けられ、両側部にそれぞれ１又は複数の上記面材間挿通部が上下動可能に支持されていることを特徴とする請求項１に記載の建物の面材支持構造。
【発明の詳細な説明】
【０００１】
【発明の属する技術分野】
この発明は、建物の外壁等において板ガラス等の面材を方立で支持した構造に関する。
【０００２】
【従来の技術】
図１９に示すように、板ガラス１（面材）を用いて建物の外壁を構築する場合には、上下に延びる複数の方立２を互いに左右（紙面と直交する向き）に離して立設する。左右に隣り合う方立２間には、無目３を互いに上下に離して架け渡す。方立２の前面（屋外側の面）には、無目３と同じ高さにセッティングブロック４（面材自重受け部）を設ける。このセッティングブロック４に各板ガラス１の下端隅部を載せることにより、左右の方立２間ごとに板ガラス１を上下に並べる。さらに、上下に隣り合う板ガラス１の境において、無目３の前面に突出された連結板部３ａに横押縁７の連結板部７ａを連ねる。これによって、上下の板ガラス１をシール６等を介して横押縁７と無目３とにより前後から挟み込み、これら板ガラス１に作用する面外荷重を受けさせる。
なお、無目３に代えて、短い板状のピースフレーム（短横材）を用いる場合もある。ピースフレームは、長手方向の中央部が方立に固定され、両側部が方立から左右へ片持ち状に延出されている。この両側部と横押縁とで板ガラスを挟み込むことになる。
【０００３】
【発明が解決しようとする課題】
上記の従来構造では、地震によって板ガラス１が上方に変位しても連結板部３ａ，７ａに衝突することがないように、板ガラス１と連結板部３ａ，７ａとの間に大きなクリアランスＣ０が設定されている。そのため、横押縁７の見付け寸法が大きくなり、意匠性が劣るという問題があった。
【０００４】
【課題を解決するための手段】
上記課題を解決するために、本発明に係る建物の面材支持構造は、上下に延びるとともに互いに左右に離れて複数配された方立と、左右に隣り合う方立間に上下に並べられた面材の自重を受けるべく各方立に設けられた面材自重受け部と、上下に隣り合う２つの面材への面外荷重を受ける面外荷重受け部とを備えている。面外荷重受け部が、上記２つの面材の屋内側の面間に跨るようにして上記方立に設けられた屋内側挟持部と、この屋内側挟持部から突出して上記２つの面材の間に通された面材間挿通部と、この面材間挿通部に一体に連なるとともに上記２つの面材の屋外側の面間に跨り上記屋内側挟持部と協働してこれら面材をそれぞれ挟持する屋外側挟持部とを有している。上記面材間挿通部及び屋外挟持部が、上記方立に対して上下動可能になっている。これによって、面材と面材間挿通部とのクリアランスを小さくすることができ、その分だけ屋外側挟持部ないしはカバー（横押縁）の見付け寸法を小さくでき、意匠性を高めることができる。
【０００５】
ここで、左右に隣り合う方立間に無目が水平に架け渡され、この無目が、上記２つの面材の屋内側の面間に跨ることにより上記屋内側挟持部として提供されており、上記面材間挿通部が、上記無目に上下動可能に支持されていてもよく、長手方向の中央部が上記方立に固定され、両側部が方立から左右へ片持ち状に延出された短い横材を備え、この短横材が、上記２つの面材の屋内側の面間に跨ることにより上記屋内側挟持部として提供されており、この短横材の長手方向中央部に上記面材自重受け部が設けられ、両側部にそれぞれ１又は複数の上記面材間挿通部が上下動可能に支持されていてもよい。上記面材自重受け部は、上記方立における所定の面材支持位置から下方へは移動不能となり、上記面材支持位置から上側の範囲では上下動可能になっているのが望ましい。
【０００６】
【発明の実施の形態】
以下、本発明の第１実施形態を、図面を参照して説明する。
図１に示すように、建物の躯体Ｂには、四角形の開口部Ｂａが形成され、この開口部Ｂａの上下の面に左右に延びる枠Ｆがそれぞれ固定されている。これら上下の枠Ｆ間には、上下に延びる複数の方立２０が互いに左右に離れて配置されている。左右に隣り合う方立２０間には、無目３０が互いに上下に離れて架け渡されている。上下の枠Ｆ及び方立２０と無目３０とで区画された四角形の領域ごとに板ガラス１０が配置されている。（左右に隣り合う方立２０間に板ガラス１０が上下に並べて配置されている。）
【０００７】
図１〜図５に示すように、方立２０は、方立本体２１と縦壁２２を一体に有している。方立本体２１は、断面四角形の筒状をなして上下に延び、上下両端部が、それぞれ上下の枠Ｆを介して躯体Ｂに支持されている。縦壁２２は、方立本体２１から前方（屋外方向）へ突出するとともに方立本体２１の全長にわたって上下に延びている。縦壁２２の左右両面には、上下に延びる嵌合溝２２ａが互いに前後にずれて形成されている。
【０００８】
図２〜図５に示すように、縦壁２２を挟んでその左右両側には、一対のガラス自重受け部材４０（面材自重受け部）が設けられている。これらガラス自重受け部材４０は、縦壁２２に沿って上下に離れて複数配されている。各ガラス自重受け部材４０は、縦長のスライド嵌合部４１と、このスライド嵌合部４１の長手方向の中間部に突設されたガラス載置部４２とを有している。スライド嵌合部４１が、縦壁２２の嵌合溝２２ａに上下スライド可能に嵌合されている。各自重受け部材４０より下側の嵌合溝２２ａ内には、ストッパ４４がビス止めされている。したがって、自重受け部材４０は、ストッパ４４に突き当たった位置（所定のガラス支持位置）より下方へ移動することができず、この位置より上側で上下動できるようになっている。なお、ガラス自重受け部材４０は、比較的軟質の樹脂からなる保護カバー４３で覆われている。この保護カバー４３の前後両縁部には、係止爪４３ａがそれぞれ形成されており、この係止爪４３ａが縦壁２２に上下スライド可能に係止されている。
【０００９】
図３に最も良く示されているように、左右に隣り合う方立２０の互いに対向する載置部４１に、１枚の板ガラス１０の左右両側の下端隅部がそれぞれ保護カバー４３を介して載置されている。これによって、板ガラス１０の自重が、左右のガラス自重受け部材４０及びストッパ４４を介して方立２０に伝えられるようになっている。このようにして、左右に隣り合う方立２０間ごとに板ガラス１０が上下に並べられて設置されている。
【００１０】
なお、最下段の板ガラス１０は、下側枠Ｆ（図１）に支持されている。また、図１、図４に示すように、方立２０の前方（屋外側）には、縦押縁（縦化粧カバー）８０が設けられている。縦押縁８０は、幅方向を左右に向けた縦押縁本体８１と、この縦押縁本体８１から屋内側へ突出する連結板部８２とを有し、方立２０のほぼ全長にわたって上下に延びている。連結板部８２の屋内側端部に嵌合爪８２ａが形成されており、この嵌合爪８２ａが、方立２０の縦壁２２に嵌合されている。図２、図５に示すように、連結板部８２には、上記ガラス自重受け部材４０を逃がすための切欠部８２ｂが形成されている。図４に示すように、縦押縁本体８１は、左右に隣り合う板ガラス１０の屋外側の面間に跨っている。縦押縁本体８１と各板ガラス１０との間、及び方立本体２１と各板ガラス１０との間には、それぞれシール６８及びバッカー６９が詰められている。これによって、縦押縁本体８１と方立本体２１とが、シール６８及びバッカー６９を介して左右の各板ガラス１０を前後から挟持している。
【００１１】
図１〜図３に示すように、上下に隣り合う板ガラス１０どうしの境には、これら板ガラス１０より屋内側に上記無目３０が配されている。無目３０は、上下の板部３１と中板部３２とを有して大略「エ」字状の断面をなし、左右に延びている。図２、図５に示すように、無目３０の左右両端部の屋内側の開口には、Ｌ字状のブラケット３４が挿し入れられている。このブラケット３４の無目側片３４ａが、中板部３２に設けられた凸条台３２ａにボルト締めされ、方立側片３４ｂが、方立本体２１の側面にビス止めされている。これによって、無目３０の両端部がブラケット３４を介して左右の方立２０に連結されている。なお、無目３０の屋内側の開口には、これを覆う屋内側化粧カバー３５が嵌め込まれている。
【００１２】
図２に示すように、無目３０の上下の板部３１の前端縁（屋外側の縁）には、互いの対向方向へ突出する一対の前板部３３が設けられている。上側の前板部３３は、上側の板ガラス１０の下端の背面（屋内側面）とシール６１及びバッカー６２を挟んで対峙している。下側の前板部３３は、下側の板ガラス１０の上端の背面とガラススペーサ６３を挟んで対峙している。したがって、無目３０は、上下に隣り合う板ガラス１０の背面間に跨っている。
【００１３】
無目３０の前板部３３と中板部３２との間には、後記押縁支持部材５０のための収容凹部３０ａが形成されている。
さらに、無目３０は、上下の板ガラス１０間を前側（屋外側）から塞ぐ横押縁（横化粧カバー）７０と協働して、これら板ガラス１０を前後から挟持している。横押縁７０は、押縁支持部材５０を介して無目３０に連結されている。図２、図３に示すように、押縁支持部材５０は、断面「エ」字形状をなすスライド嵌合部５１と、このスライド嵌合部５１の中間部のやや下寄りの高さから前方（屋外方向）へ水平に突出する連結板部５２とを有し、無目３０のほぼ全長にわたって左右に延びている。スライド嵌合部５１は、無目３０の収容凹部３０ａに上下スライド可能に収容されて支持されている。すなわち、収容部３０の天井面に突き当たる上限位置と内底面に突き当たる下限位置との間で上下スライド可能になっている。通常時において、スライド嵌合部５１は、収容凹部３０ａの内底面に当たって下限位置に位置している。連結板部５２は、無目３０の上下の前板部３３の間に通され、無目３０より前方へ突出されている。連結板部５２の上面には、２つの嵌合爪５２ａが前後に離れて形成されている。
【００１４】
図２、図４、図５に示すように、横押縁７０は、幅方向を上下に向けた横押縁本体７１（屋外側挟持部）と、この横押縁本体７１の幅方向の中央部から屋内側へ水平に突出する連結板部７２とを有し、無目３０のほぼ全長にわたって押縁支持部材５０より長く左右に延びている。連結板部７２の下面には、２つの嵌合爪７２ａが前後に離れて形成されている。この連結板部７２が、押縁支持部材５０の連結板部５２の上側に重ねられ、前後の嵌合爪７２ａが、連結板部５２の嵌合爪５２ａにそれぞれ嵌合されている。これによって、連結板部５２，７２どうしが連結されている。これら連結板部５２，７２（面材間挿通部）は、上下の板ガラス１０の間に通されている。連結板部５２とその下側の板ガラス１０とのクリアランスＣは、極めて小さくなっている。
【００１５】
図２に示すように、横押縁本体７１は、上下に隣り合う板ガラス１０の前面（屋外側面）間に跨っている。すなわち、横押縁本体７１の連結板部７２より上側部は、上側の板ガラス１０の下端の前面とシール６４及びバッカー６５を挟んで対峙している。横押縁本体７１の連結板部７２より下側部は、下側の板ガラス１０の上端の前面とシール６６及びバッカー６７を挟んで対峙している。
【００１６】
このようにして、無目３０と横押縁７０とが上下の板ガラス１０を前後から挟持することにより、これら板ガラス１０に屋外方向への面外荷重が作用したときは、これを横押縁７０が受け、押縁支持部材５０、無目３０を順次経て、方立２０に伝えることができる。また、各板ガラス１０に屋内方向への面外荷重が作用したときは、これを無目３０が受け、方立２０に伝えることができる。
無目３０と押縁支持部材５０と横押縁７０とによって、特許請求の範囲の「面外荷重受け部」が構成されている。無目３０は、特許請求の範囲の「屋内側挟持部」として提供されている。
【００１７】
作用を説明する。
いま、図１の仮想線及び図６に示すように、地震によって方立２０が例えば右に傾いて層間変位が発生し、各板ガラス１０が右下隅部を中心として時計方向へ回転したものとする。これによって、板ガラス１０の左上隅部が上がる。また、無目３０が水平を維持しながら下がり、相対的に板ガラス１０が上へ鉛直変位する。これによって、図６、図７に示すように、右下の板ガラス１０の上端縁が押縁支持部材５０の連結板部５２に突き当たる。すると、押縁支持部材５０と横押縁７０とが上方へ一体にスライドし、板ガラス１０の鉛直変位を吸収する。したがって、板ガラス１０が破損することはない。このように、板ガラス１０が連結板部５２に当たっても支障が無いので、図２に示すように、両者間のクリアランスＣを図１９の従来構造のクリアランスＣ０よりも小さくすることができる（Ｃ＜Ｃ０）。したがって、このクリアランスの差（Ｃ０−Ｃ）だけ横押縁本体７１の見付け寸法Ｌを小さくすることができる。これによって、建物外観の意匠性を高めることができる。
また、上記層間変位によって板ガラス１０の左上隅部が上方のガラス自重受け部材４０の載置部４１に突き当たる。すると、このガラス自重受け部材４０が、上方へスライドし、板ガラス１０の左上隅部の鉛直変位を吸収する。したがって、板ガラス１０の上隅部が破損することはない。
【００１８】
次に、本発明の第２実施形態を説明する。第２実施形態において上記第１実施形態と重複する構成に関しては図面に同一符号を付して説明を省略する。
図８〜図１０に示すように、第２実施形態では、上記無目３０に代えてピースフレーム９０（短横材）が用いられている。図１１、図１２に示すように、ピースフレーム９０は、幅方向を前後方向に向けたベースフレーム部９１と、幅方向を上下に向けてベースフレーム部９１の前端部に設けられた支持フレーム部９２とを一体に有し、左右へ水平に延びている。ベースフレーム部９１の長手方向の中央部が、Ｌ字状のブラケット９４を介してＨ字状断面の方立２０Ａに連結されている。これにより、ピースフレーム９０の左右両側部が、方立２０Ａから左右へそれぞれ片持ち状に延出されている。
【００１９】
図１２、図１４、図１５に示すように、支持フレーム部９２は、嵌合溝９２ａを有して大略縦長Ｃ字状の断面をなし、上下に隣り合う板ガラス１０の背面（屋内側の面）間に跨っている。支持フレーム部９２と上側の板ガラス１０との間には、シール１３３及びバッカー１３４が設けられ、支持フレーム部９２と下側の板ガラス１０との間には、シール１３６及びバッカー１３５が設けられている。支持フレーム部９２の全長にわたって形成された嵌合溝９２ａは、側面視縦長をなすとともに上下方向の中央部が前方へ開口している。嵌合溝９２ａの両端部には、キャップ９３が嵌め込まれている。
【００２０】
図１１、図１２、図１４、図１５に示すように、ピースフレーム９０の長手方向の中央部には、セッティングブロック１００（面材自重受け部）が固定されている。セッティングブロック１００は、ベース部１０１とセッティング部１０３とを有している。ベース部１０１は、幅方向を上下に向けた板状をなし、支持フレーム部９２の嵌合溝９２ａに挿入されてビス止めされている。ベース部１０１の前面の上下方向の中央部に連結部１０２が設けられている。この連結部１０２が、嵌合溝９２ａの前面開口に通され、その突出端に上記セッティング部１０３が一体に連ねられている。セッティング部１０３は、左右両翼の載置部１０３ａと、これら載置部１０３ａと直交して上下に突出された仕切部１０３ｂとを有して、正面視十字形状をなしている。セッティング部１０３の外周に十字形状の保護カバー１０４が設けられている。保護カバー１０４の左右両翼の上面には、保護シート１０５が貼り付けられている。セッティング部１０３の左右の載置部１０３ａ上に、左右に隣り合う板ガラス１０の下端隅部が、それぞれ保護シート１０５及び保護カバー１０４を介して載置されている。これによって、板ガラス１０の自重が、セッティングブロック１００、ピースフレーム９０、ブラケット９４を順次経て、方立２０Ａに伝えられるようになっている。左右の板ガラス１０は、仕切部１０３ｂで仕切られている。
【００２１】
図１３、図１５に示すように、ピースフレーム９０の支持フレーム部９２の左右両端部（屋内側挟持部）は、連結部材１１０を介して屋外側挟持板１２０（屋外側挟持部）に連なり、この挟持板１２０と協働して上下の板ガラス１０を前後から挟持している。連結部材１１０は、幅方向を上下に向けた板状のベース部１１１と、幅方向を前後に向けた板状のガラス間挿通部１１２（面材間挿通部）とを有している。ベース部１１１は、支持フレーム部９２の嵌合溝９２ａに上下動可能に挿入されている。嵌合溝９２ａの上下端部には、ベース部１１１との間の隙間に弾性部材１１３が設けられている。図１１に示すように、ベース部１１１より左右両側の嵌合溝９２ａには、横ずれ防止ライナー１１４がベース部１１１を左右から挟むようにして設けられている。これによって、連結部材１１０が左右にずれるのが阻止されている。
【００２２】
図１３、図１５に示すように、ベース部１１１の上下中間部に、上記ガラス間挿通部１１２が前方（屋外方向）へ突出するようにして設けられている。ガラス間挿通部１１２は、嵌合溝９２ａの前面開口を経て、上下に隣り合う板ガラス１０間に通されている。ガラス間挿通部１１２の前端部は、前方（屋外方向）へ向かうにしたがって厚みが増し、係止部１１２ａを形成している。係止部１１２ａの長手方向の中央部には、切欠溝１１２ｂが形成されている。
【００２３】
屋外側挟持板１２０は、幅方向を上下に向けた板形状をなしている。屋外側挟持板１２０の背面の幅方向中央には、左右に延びる係止溝１２０ａが形成されている。この係止溝１２０ａにガラス間挿通部１１２の係止部１１２ａが嵌合されている。これによって、屋外側挟持板１２０が、前後に移動不能になっている。また、屋外側挟持板１２０の中央部にねじ込まれた横ずれ防止ビス１２５が、ガラス間挿通部１１２の切欠溝１１２ｂに挿し入れられている。これによって、屋外側挟持板１２０が左右にずれるのが阻止されている。
【００２４】
屋外側挟持板１２０は、上下に隣り合う板ガラス１０の前面（屋外側面）間に跨っている。すなわち、屋外側挟持板１２０の上側部は、上側の板ガラス１０の下端の前面と、下側部は、下側の板ガラス１０の上端の前面と、それぞれパッキン１３０を挟んで対峙している。このようにして、ピースフレーム９０の支持フレーム部９２と屋外側挟持板１２０とが上下の板ガラス１０を前後から挟持することにより、これら板ガラス１０に屋外方向への面外荷重が作用したときは、これを屋外側挟持板１２０が受け、連結部材１１０、ピースフレーム９０を順次経て、方立２０Ａに伝えることができる。また、各板ガラス１０に屋内方向への面外荷重が作用したときは、これをピースフレーム９０が受け、方立２０Ａに伝えることができる。
ピースフレーム９０の支持フレーム部９２と屋外側挟持板１２０とによって、特許請求の範囲の「面外荷重受け部」が構成されている。
【００２５】
左右の屋外側挟持板１２０間には、化粧カバー１４０が架け渡されている。化粧カバー１４０は、幅方向を上下に向けた板形状をなしてピースフレーム９０とほぼ同一の長さだけ左右に延びている。この化粧カバー１４０の左右両端部が、屋外側挟持板１２０を屋外側から覆うとともに、長手方向の中間部が、セッティンググロック１００を屋外側から覆っている。化粧カバー１４０の背面には、上下の縁に沿ってリブ１４１が設けられている。化粧カバー１４０の左右両端部において、上下のリブ１４１間に屋外側挟持板１２０が挟み込まれ、ビス止めされている。化粧カバー１４０と上下の板ガラス１０との間には、シール１３１及びバッカー１３２が設けられている。
【００２６】
図１６に示すように、地震時に方立２０Ａが例えば右に傾くと、これに伴ってピースフレーム９０は、左側部が上がり、右側部が下がるように傾斜する。これによって、図１７、図１８に示すように、右下の板ガラス１０が相対的に上へ鉛直変位し、その上端部が、ピースフレーム９０の右側のガラス間挿通部１１２に突き当たる。すると、連結部材１１０と屋外側挟持板１２０が上方へ一体にスライドし、板ガラス１０の鉛直変位を吸収する。これによって、板ガラス１０の上端部の破損を防止することができる。この結果、図１３に示すように、板ガラス１０と連結部材１１０のガラス間挿通部１１２との間のクリアランスＣ１を小さくでき、その分だけ化粧カバー１４０の見付け寸法Ｌ１を小さくしてスリム化することができ、建物外観の意匠性を高めることができる。
また、構造が比較的簡単であるため、製造コストの低廉化を図ることができる。
【００２７】
本発明は、上記実施形態に限定されるものではなく、種々の改変を行なうことができる。例えば、屋内側挟持部が、面材間挿通部及び屋外側挟持部と一体に方立に対して上下動可能になっていてもよい。
第２実施形態においてピースフレーム９０の両側部に複数の屋外側挟持板１２０及び連結部材１１０を互いにフレーム９０の長手方向に離して設けてもよい。
【００２８】
【発明の効果】
以上説明したように、本発明によれば、地震等によって面材が上下に相対変位しても面材間挿通部が上下動することによって面材の変位を吸収することができる。これによって、面材と面材間挿通部とのクリアランスを小さくすることができ、その分だけ屋外側挟持部ないしは横化粧カバー（横押縁）の見付け寸法を小さくでき、意匠性を高めることができる。
【図面の簡単な説明】
【図１】（ａ）本発明の第１実施形態に係る板ガラス支持構造を適用した建物外壁の正面図である。
（ｂ）上記（ａ）のＩＢ−ＩＢ線に沿う建物外壁の側面断面図である。
【図２】図１（ａ）のＩＩ−ＩＩ線に沿う板ガラス支持構造の側面断面図である。
【図３】図２のＩＩＩ−ＩＩＩ線に沿う板ガラス支持構造の正面断面図である。
【図４】図１（ａ）のＩＶ−ＩＶ線に沿う板ガラス支持構造の平面断面図である。
【図５】図１（ａ）のＶ−Ｖ線に沿う板ガラス支持構造の平面断面図である。
【図６】上記板ガラス支持構造が地震を受けた際の状態を例示した正面断面図である。
【図７】上記板ガラス支持構造が地震を受けた際の状態を例示した側面断面図である。
【図８】本発明の第２実施形態に係る板ガラス支持構造を適用した建物外壁の正面図である。
【図９】図８のＩＸ−ＩＸ線に沿う建物外壁の平面断面図である。
【図１０】図８のＸ−Ｘ線に沿う建物外壁の側面断面図である。
【図１１】図８のＸＩ−ＸＩ線に沿う板ガラス支持構造の平面断面図である。
【図１２】図１１のＸＩＩ−ＸＩＩ線に沿う板ガラス支持構造の側面断面図である。
【図１３】図１１のＸＩＩＩ−ＸＩＩＩ線に沿う板ガラス支持構造の側面断面図である。
【図１４】図１１のＸＩＩＩ−ＸＩＩＩ線に沿う板ガラス支持構造の正面断面図である。
【図１５】上記第２実施形態の板ガラス支持構造の斜視図である。
【図１６】上記第２実施形態の板ガラス支持構造が地震を受けた際の状態を例示した正面図である。
【図１７】図１６のＸＶＩＩ円部の正面断面図である。
【図１８】図１７のＸＶＩＩＩ−ＸＶＩＩＩ線に沿う板ガラス支持構造の側面断面図である。
【図１９】従来の板ガラス支持構造の一例を示す側面断面図である。
【符号の説明】
１０　板ガラス（面材）
２０，２０Ａ　方立
３０　無目（屋内側挟持部）
４０　ガラス自重受け部材（面材自重受け部）
５０　押縁支持部材
５２　連結板部（面材間挿通部）
７０　横押縁（屋外側挟持部）
７２　連結板部（面材間挿通部）
９０　ピースフレーム（短横材）
９２　支持フレーム部（屋内側挟持部）
１００　セッティングブロック（面材自重受け部）
１２０　屋外方向面外荷重受け部材
１１０　連結部材
１１２　ガラス間挿通部（面材間挿通部）
１２０　屋外側挟持板（屋外側挟持部）
【図１】
2004027672.tif 000003
【図２】
2004027672.tif 000004
【図３】
2004027672.tif 000005
【図４】
2004027672.tif 000006
【図５】
2004027672.tif 000007
【図６】
2004027672.tif 000008
【図７】
2004027672.tif 000009
【図８】
2004027672.tif 000010
【図９】
2004027672.tif 000011
【図１０】
2004027672.tif 000012
【図１１】
2004027672.tif 000013
【図１２】
2004027672.tif 000014
【図１３】
2004027672.tif 000015
【図１４】
2004027672.tif 000016
【図１５】
2004027672.tif 000017
【図１６】
2004027672.tif 000018
【図１７】
2004027672.tif 000019
【図１８】
2004027672.tif 000020
【図１９】
2004027672.tif 000021